(57)【要約】      （修正有）【課題】大きな力により患者の上の歯列及び下の歯列を同時に矯正する、マウスピース型矯正装置を提供する。【解決手段】マウスピース型矯正装置１００は、弾性本体１０と、弾性本体の頂部に配設されるとともに、上の歯列に対応する弾性上矯正部２０と、弾性本体の底部に配設されるとともに、下の歯列に対応する弾性下矯正部３０とを備える。上の歯列が弾性上矯正部２０により矯正されるとともに、下の歯列が弾性下矯正部３０により矯正される。弾性本体１０、弾性上矯正部２０及び弾性下矯正部３０は、ＥＶＡ、又はコットン、人工繊維及びゴムが混合されたポリマーからなる。【選択図】図１
0003200778.tif 000002
【実用新案登録請求の範囲】
【請求項１】
患者の上の歯列及び下の歯列を同時に矯正するマウスピース型矯正装置であって、
弾性本体と、
前記弾性本体の頂部に配設されるとともに、前記上の歯列に対応する弾性上矯正部と、
前記弾性本体の底部に配設されるとともに、前記下の歯列に対応する弾性下矯正部と、を備え、
前記上の歯列が前記弾性上矯正部により矯正されるとともに、前記下の歯列が前記弾性下矯正部により矯正されることを特徴とするマウスピース型矯正装置。
【請求項２】
前記弾性本体、前記弾性上矯正部及び前記弾性下矯正部は、ＥＶＡ（Ｅｔｈｙｌｅｎｅｖｉｎｙｌ  Ａｃｅｔａｔｅ  Ｃｏｐｏｌｙｍｅｒ）からなることを特徴とする請求項１に記載のマウスピース型矯正装置。
【請求項３】
前記弾性本体、前記弾性上矯正部及び前記弾性下矯正部は、コットン、人工繊維及びゴムが混合されたポリマーからなることを特徴とする請求項１に記載のマウスピース型矯正装置。
【請求項４】
前記弾性本体、前記弾性上矯正部及び前記弾性下矯正部を溶融させて一体化させることを特徴とする請求項１〜３の何れか１項に記載のマウスピース型矯正装置。
【請求項５】
前記弾性本体、前記弾性上矯正部及び前記弾性下矯正部のうちの少なくとも１つのそれぞれに、少なくとも１つのセンサーチップが内設されることを特徴とする請求項４に記載のマウスピース型矯正装置。
【請求項６】
前記センサーチップは、温度又は圧力を測定することを特徴とする請求項５に記載のマウスピース型矯正装置。
【請求項７】
前記弾性本体、前記弾性上矯正部及び前記弾性下矯正部のうちの少なくとも１つに内設される少なくとも１つのセンサーチップをさらに備えることを特徴とする請求項１〜３の何れか１項に記載のマウスピース型矯正装置。
【請求項８】
前記センサーチップは、温度又は圧力を測定することを特徴とする請求項７に記載のマウスピース型矯正装置。
【考案の詳細な説明】
【技術分野】
【０００１】
本考案は、歯科矯正装置に関し、特に、大きな力により患者の上の歯列及び下の歯列を同時に矯正する、マウスピース型矯正装置に関する。
【背景技術】
【０００２】
従来の歯科矯正装置には、ブラケット及びワイヤーにより歯科矯正を行う従来からの歯列矯正装置と、マウスピース型矯正装置により歯科矯正を行う目立たない矯正装置との２種類がある。これら２種類の歯科矯正装置はともに少しずつ調整して歯を矯正するが、それぞれ長所及び短所があった。
【０００３】
患者にとって、歯列矯正装置は矯正効果が好ましいが、見た目があまり良くなく、清掃が容易でない上、患者の口腔内を傷つけてしまう虞があった。
【０００４】
患者にとって、マウスピース型矯正装置は、見た目が良く、清掃が容易であるとともに患者の口腔内を傷つけ難いが、その剛性構造により歯を移動させて矯正治療を行うため、患者の歯が移動し難い場合、歯の矯正治療を行うことができず、矯正治療の時間が長くかかった。また、患者の歯列の一部が欠損していたり入れ歯であったりする場合、マウスピース型矯正装置の使用は困難であった。また、マウスピース型矯正装置は、歯列矯正装置より高価である上、患者の上の歯列及び下の歯列を別々に矯正するため、矯正治療が終了してマウスピース型矯正装置を取り外すと、上の歯列と下の歯列との咬み合わせが悪くなってしまうことがあった。
【０００５】
また、如何なる歯科矯正装置であっても、患者が医者の指示通りに使用しているか否かを医者は知ることができないため、矯正治療が終了して患者の期待通りの矯正効果が得られない場合、患者と医者との間で医事紛争が起きることがあった。
【０００６】
そのため、矯正効果が好ましく、見た目が良く、清掃が容易で、患者の口腔を傷つけ難く、歯が欠損した状態でも使用でき、歯の咬み合わせに悪影響を与えることがない、マウスピース型矯正装置が求められていた。
【考案の概要】
【考案が解決しようとする課題】
【０００７】
本考案の第１の目的は、矯正効果が好ましく、見た目が良く、清掃が容易で、患者の口腔を傷つけ難いマウスピース型矯正装置を提供することにある。
本考案の第２の目的は、患者の歯が欠損していても残存した歯を矯正することができるマウスピース型矯正装置を提供することにある。
本考案の第３の目的は、矯正治療が終了しても、上の歯列と下の歯列との咬み合わせに悪影響を与えることがないマウスピース型矯正装置を提供することにある。
【課題を解決するための手段】
【０００８】
上記課題を解決するために、本考案の第１の形態によれば、患者の上の歯列及び下の歯列を同時に矯正するマウスピース型矯正装置であって、弾性本体と、前記弾性本体の頂部に配設されるとともに、前記上の歯列に対応する弾性上矯正部と、前記弾性本体の底部に配設されるとともに、前記下の歯列に対応する弾性下矯正部と、を備え、前記上の歯列が前記弾性上矯正部により矯正されるとともに、前記下の歯列が前記弾性下矯正部により矯正されることを特徴とするマウスピース型矯正装置が提供される。
【０００９】
前記弾性本体、前記弾性上矯正部及び前記弾性下矯正部は、ＥＶＡ（Ｅｔｈｙｌｅｎｅｖｉｎｙｌ  Ａｃｅｔａｔｅ  Ｃｏｐｏｌｙｍｅｒ）からなることが好ましい。
【００１０】
前記弾性本体、前記弾性上矯正部及び前記弾性下矯正部は、コットン、人工繊維及びゴムが混合されたポリマーからなることが好ましい。
【００１１】
前記弾性本体、前記弾性上矯正部及び前記弾性下矯正部を溶融させて一体化させることが好ましい。
【００１２】
前記弾性本体、前記弾性上矯正部及び前記弾性下矯正部のうちの少なくとも１つのそれぞれに、少なくとも１つのセンサーチップが内設されることが好ましい。
【００１３】
前記センサーチップは、温度又は圧力を測定することが好ましい。
【００１４】
前記弾性本体、前記弾性上矯正部及び前記弾性下矯正部のうちの少なくとも１つに内設される少なくとも１つのセンサーチップをさらに備えることが好ましい。
【００１５】
前記センサーチップは、温度又は圧力を測定することが好ましい。
【考案の効果】
【００１６】
本考案のマウスピース型矯正装置は、患者の咬む力と、大きな外力とにより患者の上の歯列及び下の歯列を同時に矯正するとともに、見た目が良く、清掃が容易で、患者の口腔を傷つけ難いという長所を有し、患者の歯列の一部が欠損していても、残部の歯を矯正することができる上、矯正治療が終了した後に上の歯列と下の歯列との咬み合わせに悪影響を与えることを防ぎ、センサーチップにより、患者が医者の指示通りに矯正装置を装着し、矯正が終了しても矯正効果が予想通りでないときに、その原因を探ることができるため、医事紛争が起きることを防ぐことができる。
【図面の簡単な説明】
【００１７】
【図１】図１は、本考案の第１実施形態に係るマウスピース型矯正装置を示す斜視図である。
【図２】図２は、本考案の第１実施形態に係るマウスピース型矯正装置を患者が使用するときの状態を示す説明図である。
【図３】図３は、本考案の第２実施形態に係るマウスピース型矯正装置を示す斜視図である。
【考案を実施するための形態】
【００１８】
以下、本考案の実施形態について図に基づいて説明する。なお、これによって本考案が限定されるものではない。
【００１９】
（第１実施形態）
図１及び図２を参照する。図１は、本考案の第１実施形態に係るマウスピース型矯正装置を示す斜視図である。図２は、本考案の第１実施形態に係るマウスピース型矯正装置を患者が使用するときの状態を示す説明図である。図１及び図２に示すように、本考案の第１実施形態に係るマウスピース型矯正装置１００は、患者１０００の上の歯列１１００及び下の歯列１２００を同時に矯正する。マウスピース型矯正装置１００は、弾性本体１０、弾性上矯正部２０及び弾性下矯正部３０を含む。
【００２０】
弾性上矯正部２０は、弾性本体１０の頂部に配設され、上の歯列１１００に対応する。弾性下矯正部３０は、弾性本体１０の底部に配設され、下の歯列１２００に対応する。
【００２１】
弾性本体１０、弾性上矯正部２０及び弾性下矯正部３０は、ＥＶＡ（Ｅｔｈｙｌｅｎｅｖｉｎｙｌ  Ａｃｅｔａｔｅ  Ｃｏｐｏｌｙｍｅｒ）又はコットン、人工繊維及びゴムが混合されたポリマーからなり、高弾性係数を有する。そのため、患者１０００がマウスピース型矯正装置１００を噛むと、弾性上矯正部２０及び弾性下矯正部３０の弾性構造により、上の歯列１１００及び下の歯列１２００が強制的に矯正される。言い換えると、上の歯列１１００及び下の歯列１２００が移動せず、弾性上矯正部２０及び弾性下矯正部３０により画成された位置までずれると、咬み合わせの力と弾性構造の位置決めにより、上の歯列１１００が下の歯列１２００に対して移動してずれ、歯列が矯正される。弾性上矯正部２０及び弾性下矯正部３０の材料特性と、咬み合わせの力とにより、患者１０００の矯正治療の前半では、上の歯列１１００を下の歯列１２００に対して速やかに移動させてずらし、矯正治療の後半では、矯正効果を効果的に維持することができる。
【００２２】
上述したことから分かるように、マウスピース型矯正装置１００は、それ自身の弾性構造により上の歯列１１００及び下の歯列１２００を矯正するだけではなく、咬み合わせの力により上の歯列１１００及び下の歯列１２００の矯正を行う。そのため、患者１０００の歯列の一部が欠損している場合でも、残存する残りの歯列の矯正に悪影響を与えることはない。言い換えると、本考案のマウスピース型矯正装置１００は、従来のマウスピース型矯正装置より多くの患者１０００に対して矯正治療を行うことができる。
【００２３】
また、弾性本体１０、弾性上矯正部２０及び弾性下矯正部３０は、構造が簡素である上、光透過性が高いため、患者１０００がマウスピース型矯正装置１００を使用中でも見た目が良く、清掃が容易で、患者の口腔内を傷つけることを防ぐ特長を有する。
【００２４】
また、弾性上矯正部２０及び弾性下矯正部３０により上の歯列１１００及び下の歯列１２００をそれぞれ矯正する際、弾性本体１０により弾性上矯正部２０及び弾性下矯正部３０の相対位置を固定することにより、患者１０００の矯正治療が終了した後でも、上の歯列１１００と下の歯列１２００との咬み合わせが悪くなることを防ぐことができる。
【００２５】
また、マウスピース型矯正装置１００を製作する際、マウスピース型矯正装置１００の構造強度を高めるために、弾性本体１０、弾性上矯正部２０及び弾性下矯正部３０を加熱して溶融し、一体化してもよい。
【００２６】
図面では示されていないが、弾性上矯正部２０及び弾性下矯正部３０を製作する前に、まず、患者１０００の上の歯列１１００及び下の歯列１２００のデータを収集し、コンピュータにより予め計画を立ててもよい。
【００２７】
上述したことから分かるように、本考案のマウスピース型矯正装置は、患者の咬み合わせ力と、大きな外力とにより患者の上の歯列及び下の歯列を矯正し、矯正治療の時間を短縮することができる。また、本考案のマウスピース型矯正装置は、見た目が良く、清掃が容易で、患者の口腔内を傷つけることを防ぐことができる特長を有する。また、患者の歯列が欠損していても、残存する残りの歯列を矯正することができる。また、矯正治療が終了した後でも、上の歯列と下の歯列との咬み合わせに悪影響を与えることがない。
【００２８】
（第２実施形態）
図３を参照する。図３は、本考案の第２実施形態に係るマウスピース型矯正装置を示す斜視図である。図３に示すように、本考案の第２実施形態に係るマウスピース型矯正装置２００の構造は、マウスピース型矯正装置１００と略等しい。マウスピース型矯正装置２００は、弾性本体１０に内設された少なくとも１つのセンサーチップ４０を含む。また、センサーチップ４０の設置位置は、特に限定されるわけではなく、弾性上矯正部２０又は弾性下矯正部３０に内設してもよい。例えば、マウスピース型矯正装置２００が複数のセンサーチップ４０を含む場合、センサーチップ４０は、弾性本体１０、弾性上矯正部２０、弾性下矯正部３０のうちの少なくとも２つに内設されてもよい。
【００２９】
センサーチップ４０は、温度又は圧力を測定するために用いる。
【００３０】
センサーチップ４０により温度を測定する場合、室温と患者１０００の口腔の温度とが異なるため、患者１０００のマウスピース型矯正装置２００の使用状況を知るために、センサーチップ４０により異なる時間点における温度変化を記録し、医者が指示した時間通りに患者１０００がマウスピース型矯正装置２００を装着したか否かを判断できるようにし、矯正が終了した後に、患者１０００の矯正効果が予想通りでない場合、患者１０００及び医者はセンサーチップ４０に記録されたデータに基づいてその原因を探ることができるため、医事紛争が起きることを防ぐことができる。
【００３１】
センサーチップ４０により圧力を測定する場合、患者１０００の咬合わせ又は舌運動を測定し、患者１０００がマウスピース型矯正装置２００を使用しているか否かを判断し、センサーチップ４０に記録された異なる時間点の圧力変化により、医者は患者１０００が指示通りの時間及び方式によりマウスピース型矯正装置２００を適切に装着したか否かを評価する。矯正が終了しても矯正効果が予想通りでないと患者１０００が感じる場合、患者１０００及び医者は、センサーチップ４０が記録したデータに基づいてその原因を探ることができるため、医事紛争が起きることを防ぐことができる。
【００３２】
上述したことから分かるように、本考案の第２実施形態に係るマウスピース型矯正装置は、第１実施形態の長所を有する以外に、センサーチップが測定した温度又は圧力により、患者がマウスピース型矯正装置を使用したか否かを判断し、患者が医者の指示通りにマウスピース型矯正装置を装着したか否かを医者が判断することができるため、医事紛争が起きることを防ぐことができる。
【符号の説明】
【００３３】
１０  弾性本体
２０  弾性上矯正部
３０  弾性下矯正部
４０  センサーチップ
１００  マウスピース型矯正装置
２００  マウスピース型矯正装置
１０００  患者
１１００  上の歯列
１２００  下の歯列
【図１】
0003200778.tif 000003
【図２】
0003200778.tif 000004
【図３】
0003200778.tif 000005